(57)【要約】【課題】施工容易かつ外観意匠性に優れた外壁施工構造を得ることができる留め付けユニット及び外壁施工構造を提供すること。【解決手段】構造躯体に固定した金属下地３に四方合決り接合方式の外壁板を留め付けるための留め付けユニット１。留め付けユニット１は、上下左右の４枚の外壁板の上下左右接合部に配され、留め付け金具５と下敷板１１と係合板１２と固定ネジ１３とを有する。留め付け金具５は、基板部５１と上方脚部５２及び下方脚部５３と支承部５４と上板係止部５５と下板係止部５６とを有する。支承部５４よりも上方には凹陥部５７が形成され、凹陥部５７には第１固定用開口部５８を有する。下敷板１１には第２固定用開口部１１８が形成されている。第１固定用開口部５８は左右に長い形状を有している。留め付け金具５は、下敷板１１に対して左右にスライドさせつつ金属下地３に固定することができる。【選択図】図１
2005127010.tif 000002
【特許請求の範囲】
【請求項１】
建物の構造躯体に固定した金属下地に、複数の四方合決り接合方式の外壁板を留め付けるための留め付けユニットであって、
該留め付けユニットは、上下左右の４枚の上記外壁板の上下左右接合部に配されるよう構成されており、下側の上記外壁板の上辺部及び上側の上記外壁板の下辺部に係合する留め付け金具と、該留め付け金具の背面側に重なるように配置され上記金属下地に当接する下敷板と、該下敷板の背面側に配置されて上記金属下地に係合することにより上記留め付け金具及び上記下敷板とを上記金属下地に固定するための係合板と、該係合板に螺合して上記留め付け金具と上記下敷板とを上記金属下地に固定する固定ネジとを有し、
上記留め付け金具は、上記外壁板の裏側面に当接する基板部と、該基板部の上端及び下端に形成され、それぞれ上記下敷板に当接する上方脚部及び下方脚部と、上記基板部から前方へ水平方向に立設された支承部と、該支承部から斜め上方へ屈曲した上板係止部と、上記支承部から斜め下方へ屈曲した下板係止部とを有しており、上記支承部よりも上方の基板部には、該基板部よりも後退した凹陥部が形成されていると共に、該凹陥部には上記固定ネジを挿通する第１固定用開口部を有し、
また、上記下敷板には、上記固定ネジを挿通するための第２固定用開口部が形成されており、
上記第１固定用開口部は、左右に長い形状を有しており、
上記留め付け金具は、上記下敷板に対して左右にスライドさせつつ上記金属下地に固定することができるよう構成されていることを特徴とする留め付けユニット。
【請求項２】
請求項１において、上記留め付け金具は、上記支承部よりも下方において、垂直方向に前方に立設された垂直立設部を有することを特徴とする留め付けユニット。
【請求項３】
請求項１又は２において、上記留め付け金具及び上記下敷板は、上記係合板が回転している様子を上記留め付けユニットの前方から視認するための第１視認用開口部及び第２視認用開口部をそれぞれ有することを特徴とする留め付けユニット。
【請求項４】
請求項１〜３のいずれか一項において、上記留め付け金具は、上記支承部と略同一高さ位置の略中央部分において上記基板部から前方へ立設された中央水平板部と、該中央水平板部の前端において鉛直方向に形成された中央前板部とを有し、また、上記上板係止部の先端と上記下板係止部の先端とは鉛直方向に形成された連設板によって連結されており、該連設板は、上記中央前板部よりも前方に配置しており、上記中央水平板部及び上記中央前板部の左右端部には、漏水防止用の弾性部材が上記中央水平板部の上面から上記中央前板部の前面にわたって連続して配設されていることを特徴とする留め付けユニット。
【請求項５】
請求項１〜４のいずれか一項において、上記下敷板は、背面に突出した背面リブを円環状又は円弧状に形成してなり、該背面リブの外周面は、上記金属下地を構成する金属胴縁の前面にその長さ方向に連続形成された前面開口部の開口端に当接するよう構成されていることを特徴とする留め付けユニット。
【請求項６】
建物の構造躯体に固定した金属下地に、複数の四方合決り接合方式の外壁板を留め付けてなる外壁施工構造であって、
上下左右の４枚の上記外壁板の上下左右接合部には、該外壁板を上記金属下地に留め付けるための留め付けユニットが配されており、
該留め付けユニットは、下記の留め付け金具と、該留め付け金具の背面側に重なるように配置された下敷板と、該下敷板の背面側に配置された係合板と、該係合板に螺合した固定ネジとを有し、
上記留め付け金具は、上記外壁板の裏側面に当接する基板部と、該基板部の上端及び下端に形成され、それぞれ上記下敷板に当接する上方脚部及び下方脚部と、上記基板部から前方へ水平方向に立設された支承部と、該支承部から斜め上方へ屈曲した上板係止部と、上記支承部から斜め下方へ屈曲した下板係止部とを有しており、上記支承部よりも上方の基板部には、該基板部よりも後退した凹陥部が形成されていると共に、該凹陥部には上記固定ネジを挿通する第１固定用開口部を有し、
また、上記下敷板には、上記固定ネジを挿通するための第２固定用開口部が形成されており、
上記第１固定用開口部は、左右に長い形状を有しており、
上記留め付け金具は、上記下敷板に対して左右にスライドさせつつ上記金属下地に固定することができるよう構成されており、
上記留め付けユニットは、上記留め付け金具を、下側の上記外壁板の上辺部及び上側の上記外壁板の下辺部に係合させ、上記下敷板を上記金属下地に当接させ、上記係合板を上記金属下地に係合すると共に、該係合板に上記固定ネジを螺合して上記留め付け金具と上記下敷板とを上記金属下地に固定することにより上記外壁板を上記金属下地に留め付けていることを特徴とする外壁施工構造。
【請求項７】
請求項６において、上記留め付け金具は、上記支承部よりも下方において、垂直方向に前方に立設された垂直立設部を有し、上記留め付けユニットの左下又は右下の外壁板は、その側端面を上記垂直立設部に当接させていることを特徴とする外壁施工構造。
【請求項８】
請求項６又は７において、上記留め付け金具及び上記下敷板は、上記係合板が回転している様子を上記留め付けユニットの前方から視認するための第１視認用開口部及び第２視認用開口部をそれぞれ有することを特徴とする外壁施工構造。
【請求項９】
請求項６〜８のいずれか一項において、上記留め付け金具は、上記支承部と略同一高さ位置の略中央部分において上記基板部から前方へ立設された中央水平板部と、該中央水平板部の前端において鉛直方向に形成された中央前板部とを有し、また、上記上板係止部の先端と上記下板係止部の先端とは鉛直方向に形成された連設板によって連結されており、該連設板は、上記中央前板部よりも前方に配置しており、上記中央水平板部及び上記中央前板部の左右端部には、漏水防止用の弾性部材が上記中央水平板部の上面から上記中央前板部の前面にわたって連続して配設されていることを特徴とする外壁施工構造。
【請求項１０】
請求項６〜９のいずれか一項において、上記下敷板は、背面に突出した背面リブを円環状又は円弧状に形成してなり、該背面リブの外周面は、上記金属下地を構成する金属胴縁の前面にその長さ方向に連続形成された前面開口部の開口端に当接していることを特徴とする外壁施工構造。
【発明の詳細な説明】
【技術分野】
【０００１】
本発明は、建物の構造躯体に固定した金属下地に、複数の四方合決り接合方式の外壁板を留め付けるための留め付けユニット及びこれを用いた外壁施工構造に関する。
【背景技術】
【０００２】
従来より、建物の構造躯体に固定した金属下地に、複数の外壁板を留め付けてなる外壁施工構造がある（特許文献１、２参照）。
該従来の外壁施工構造においては、留め付け金具を用いて上記外壁板を金属下地に留め付けている。
【０００３】
しかし、上記外壁施工構造においては、左右の外壁板は突合せ接合されている。そのため、左右の外壁板の間の接合隙間部に、ハットジョイナーを介してシーリング材を打設する必要があり、施工コストを引き上げる原因となっている。更に、シーリング施工の仕上がり如何によっては、外観意匠性を損なうおそれもある。また、シーリング材の劣化による外観意匠性や漏水防止性能の低下を招くおそれもある。
【０００４】
そこで、上記外壁板の左右接合方式についても合決り接合方式として、いわゆる四方合決り接合方式により外壁施工構造を構築することが考えられる。この場合、隣接配置される４枚の外壁板の接合中央部となる上下左右接合部に留め付け金具を配設することとなる。
ところが、留め付け金具を固定する金属下地は、先に柱（構造躯体）に固定されているため、該金属下地に対する上記留め付け金具の左右方向の固定位置が決まってしまい、上側に配設される左右の外壁板の重量支持力を均等にすることができなくなるおそれがある。
【０００５】
【特許文献１】特開２００３−１２９６３８号公報
【特許文献２】特開２００３−２１３８８５号公報
【発明の開示】
【発明が解決しようとする課題】
【０００６】
本発明は、かかる従来の問題点に鑑みてなされたもので、施工容易かつ外観意匠性に優れた外壁施工構造を得ることができる留め付けユニット及び外壁施工構造を提供しようとするものである。
【課題を解決するための手段】
【０００７】
第１の発明は、建物の構造躯体に固定した金属下地に、複数の四方合決り接合方式の外壁板を留め付けるための留め付けユニットであって、
該留め付けユニットは、上下左右の４枚の上記外壁板の上下左右接合部に配されるよう構成されており、下側の上記外壁板の上辺部及び上側の上記外壁板の下辺部に係合する留め付け金具と、該留め付け金具の背面側に重なるように配置され上記金属下地に当接する下敷板と、該下敷板の背面側に配置されて上記金属下地に係合することにより上記留め付け金具及び上記下敷板とを上記金属下地に固定するための係合板と、該係合板に螺合して上記留め付け金具と上記下敷板とを上記金属下地に固定する固定ネジとを有し、
上記留め付け金具は、上記外壁板の裏側面に当接する基板部と、該基板部の上端及び下端に形成され、それぞれ上記下敷板に当接する上方脚部及び下方脚部と、上記基板部から前方へ水平方向に立設された支承部と、該支承部から斜め上方へ屈曲した上板係止部と、上記支承部から斜め下方へ屈曲した下板係止部とを有しており、上記支承部よりも上方の基板部には、該基板部よりも後退した凹陥部が形成されていると共に、該凹陥部には上記固定ネジを挿通する第１固定用開口部を有し、
また、上記下敷板には、上記固定ネジを挿通するための第２固定用開口部が形成されており、
上記第１固定用開口部は、左右に長い形状を有しており、
上記留め付け金具は、上記下敷板に対して左右にスライドさせつつ上記金属下地に固定することができるよう構成されていることを特徴とする留め付けユニットにある（請求項１）。
【０００８】
次に、本発明の作用効果につき説明する。
上記留め付けユニットは、上記のごとく四方合決り接合する４枚の外壁板の上下左右接合部に配され、該外壁板を金属下地に留め付けることができる。そのため、上記留め付けユニットを用いることにより、容易に四方合決りの外壁施工構造を得ることができる。そして、この四方合決りの外壁施工構造は、外壁板の間の目地部が目立たないため、外観意匠性に優れている。
また、四方合決り構造とすることにより、目地部の処理を特に行う必要がないため、施工が容易となり、施工コストを大幅に低減することもできる。
【０００９】
また、上記留め付けユニットは、上記第１固定用開口部を左右に長い形状に形成してなる。それ故、上記留め付け金具を上記下敷板に対して左右にスライドさせることができる。即ち、上記留め付けユニットにおける上記下敷板が、上記金属下地に対して左右方向については決められた位置にしか固定できなくても、上記留め付け金具は、上記金属下地に対して左右方向についてある程度の範囲の任意の位置に固定することができる。
【００１０】
以上のごとく、本発明によれば、施工容易かつ外観意匠性に優れた外壁施工構造を得ることができる留め付けユニットを提供することができる。
【００１１】
第２の発明は、建物の構造躯体に固定した金属下地に、複数の四方合決り接合方式の外壁板を留め付けてなる外壁施工構造であって、
上下左右の４枚の上記外壁板の上下左右接合部には、該外壁板を上記金属下地に留め付けるための留め付けユニットが配されており、
該留め付けユニットは、下記の留め付け金具と、該留め付け金具の背面側に重なるように配置された下敷板と、該下敷板の背面側に配置された係合板と、該係合板に螺合した固定ネジとを有し、
上記留め付け金具は、上記外壁板の裏側面に当接する基板部と、該基板部の上端及び下端に形成され、それぞれ上記下敷板に当接する上方脚部及び下方脚部と、上記基板部から前方へ水平方向に立設された支承部と、該支承部から斜め上方へ屈曲した上板係止部と、上記支承部から斜め下方へ屈曲した下板係止部とを有しており、上記支承部よりも上方の基板部には、該基板部よりも後退した凹陥部が形成されていると共に、該凹陥部には上記固定ネジを挿通する第１固定用開口部を有し、
また、上記下敷板には、上記固定ネジを挿通するための第２固定用開口部が形成されており、
上記第１固定用開口部は、左右に長い形状を有しており、
上記留め付け金具は、上記下敷板に対して左右にスライドさせつつ上記金属下地に固定することができるよう構成されており、
上記留め付けユニットは、上記留め付け金具を、下側の上記外壁板の上辺部及び上側の上記外壁板の下辺部に係合させ、上記下敷板を上記金属下地に当接させ、上記係合板を上記金属下地に係合すると共に、該係合板に上記固定ネジを螺合して上記留め付け金具と上記下敷板とを上記金属下地に固定することにより上記外壁板を上記金属下地に留め付けていることを特徴とする外壁施工構造にある（請求項６）。
【００１２】
次に、本発明の作用効果につき説明する。
上記外壁施工構造は、上述のごとく、複数の四方合決り接合方式の外壁板を金属下地に留め付けてなり、４枚の外壁板の上下左右接合部には、上記留め付けユニットが配されている。そのため、外壁板の間の目地部が目立たず、外観意匠性に優れた外壁施工構造を得ることができる。
また、四方合決り構造とすることにより、目地部の処理を特に行う必要がないため、施工が容易となり、施工コストを大幅に低減することもできる。
【００１３】
また、上記留め付けユニットは、上記第１固定用開口部を左右に長い形状に形成してなり、上記留め付け金具を上記下敷板に対して左右にスライドさせることができる。即ち、上記留め付けユニットにおける上記下敷板が、上記金属下地に対して左右方向については決められた位置にしか固定できなくても、上記留め付け金具は、上記金属下地に対して左右方向についてある程度の範囲の任意の位置に固定することができる。
また、上記外壁施工構造は、金属下地を用いているため、強度、耐久性に優れている。
【００１４】
以上のごとく、本発明によれば、施工容易かつ外観意匠性に優れた外壁施工構造を提供することができる。
【発明を実施するための最良の形態】
【００１５】
上記第１の発明（請求項１）において、上記留め付けユニットは、リフォーム用の外壁施工構造を構築する際に用いることもできる。この場合、金属下地は、既存壁（ＲＣ、ＡＬＣ、レンガ、ブロック壁など）に直接固定されたり、また既存壁を介して構造躯体に固定されたりする。
また、上記金属下地は、例えば、上記構造躯体にそれぞれ略水平方向に固定される複数の金属ランナーと、該複数の金属ランナーに略鉛直方向に固定された複数の金属胴縁とを有するものとすることができる。
【００１６】
また、上記外壁板は、上辺部に設けた上部下実と、下辺部に設けた下部上実と、左右に設けた横下実及び横上実とを有する、いわゆる四方合決り構造の外壁板である。そして、上記四方合決り接合とは、下側の外壁板の上部下実に、上側の外壁板の下部上実を重ね、左側の外壁板の横下実に右側の外壁板の横上実を重ねて、外壁板同士を接合することをいう。
【００１７】
また、上記留め付け金具は、上記支承部よりも下方において、垂直方向に前方に立設された垂直立設部を有することが好ましい（請求項２）。
この場合には、上記留め付けユニットを用いて外壁板を金属下地に留め付けるとき、上記垂直立設部には、例えば左下側の外壁板の側端面を当接させることができる。即ち、上記外壁板を左方から順に留め付ける場合、上記外壁板の右側端面を上記垂直立設部に当接させることができる。
これにより、上記外壁板の左右方向の位置を正確に合わせることができ、施工性が大きく改善される。しかも施工後の外壁板の左右のずれを防ぐことができるため、長期にわたる外壁施工構造の安定化を図ることができる。
【００１８】
また、上記第１の発明（請求項１）又は第２の発明（請求項６）において、上記留め付け金具及び上記下敷板は、上記係合板が回転している様子を上記留め付けユニットの前方から視認するための第１視認用開口部及び第２視認用開口部をそれぞれ有することが好ましい（請求項３、請求項８）。
この場合には、上記留め付けユニットを金属下地にネジ止め固定する作業を、容易かつ確実に行うことができる。
【００１９】
また、上記留め付け金具は、上記支承部と略同一高さ位置の略中央部分において上記基板部から前方へ立設された中央水平板部と、該中央水平板部の前端において鉛直方向に形成された中央前板部とを有し、また、上記上板係止部の先端と上記下板係止部の先端とは鉛直方向に形成された連設板によって連結されており、該連設板は、上記中央前板部よりも前方に配置しており、上記中央水平板部及び上記中央前板部の左右端部には、漏水防止用の弾性部材が上記中央水平板部の上面から上記中央前板部の前面にわたって連続して配設されていることが好ましい（請求項４、請求項９）。
【００２０】
この場合には、上記留め付けユニットの上側の２枚の外壁板の間の接合隙間部を伝って落下する雨水を、外壁板の前方へ排出することができる。
即ち、上記留め付け金具は、上記中央水平板部の左右端部の上面に上記弾性部材を配設している。そのため、上記留め付け金具の上方に配置する外壁板の下辺部は、上記弾性部材に密着する。
これにより、上記留め付け金具の中央水平板部に落下し、左右方向へ移動しようとする雨水は、上記弾性部材により堰き止められる。
【００２１】
更に、上記連設板は、上記中央前板部よりも前方に配置されている。そして、上記連設板に上側の外壁板の下部上実の裏側面が当接する。そのため、上記外壁板の下部上実の裏側面と、上記中央前板部との間に前方間隙が形成される。
これにより、上記中央水平板部と、その左右端部の弾性部材と、上記外壁板の下辺部との間に形成される空間は、上記前方間隙と共に、外壁施工構造の前方へ通じる通水路を構成する。
【００２２】
そのため、上記留め付け金具の中央水平板部に落下し、上記弾性部材により堰き止められた雨水は、上記通水路を通り壁面前方へ積極的に排出される。それ故、雨水が外壁施工構造の内部にまで浸入することがない。
【００２３】
このように、上記留め付け金具を用いることにより、上記雨水が外壁施工構造の内部に浸入することを確実に防ぐことができ、上記外壁板や下地材等の腐食や劣化を確実に防止することができる。この浸水防止機能の詳細については、後述の実施形態例において説明する。
なお、上記弾性部材としては、例えば、ＥＰＤＭ等からなる独立気泡の発泡体等を用いることができる。
【００２４】
また、上記下敷板は、背面に突出した背面リブを円環状又は円弧状に形成してなり、該背面リブの外周面は、上記金属下地を構成する金属胴縁の前面にその長さ方向に連続形成された前面開口部の開口端に当接するよう構成されていることが好ましい（請求項５）。
この場合には、上記留め付けユニットを、上記金属胴縁に対して正確な位置に固定することができる。また、上記背面リブが円環状又は円弧状に形成してあるため、上記留め付けユニットを上記金属胴縁に対して回動自在な状態で固定作業を行うことができる。
【００２５】
次に、上記第２の発明（請求項６）において、上記留め付け金具は、上記支承部よりも下方において、垂直方向に前方に立設された垂直立設部を有し、上記留め付けユニットの左下又は右下の外壁板は、その側端面を上記垂直立設部に当接させていることが好ましい（請求項７）。
この場合には、上記外壁板の左右方向の位置を正確に合わせることができ、施工性が大きく改善される。しかも施工後の外壁板の左右のずれを防ぐことができるため、長期にわたる外壁施工構造の安定化を図ることができる。
【００２６】
また、上記下敷板は、背面に突出した背面リブを円環状又は円弧状に形成してなり、該背面リブの外周面は、上記金属下地を構成する金属胴縁の前面にその長さ方向に連続形成された前面開口部の開口端に当接していることが好ましい（請求項１０）。
この場合には、上記留め付けユニットを、上記金属胴縁に対して正確な位置に固定することができる。また、上記背面リブが円環状又は円弧状に形成してあるため、上記留め付けユニットを上記金属胴縁に対して回動自在な状態で固定作業を行うことができる。従って、一層容易かつ確実に外壁施工構造を施工することができる。
【実施例】
【００２７】
（実施例１）
本発明の実施例にかかる留め付けユニット及びこれを用いた外壁施工構造につき、図１〜図２０を用いて説明する。
図６は、留め付け金具５の支承部５４を通る切断面で切った外壁施工構造６の縦断面図であり、図１１は、留め付けユニット１を配設する位置を説明するための外壁施工構造６の正面説明図であり、図１４は、留め付け金具５の中央水平板部５０１を通る切断面で切った外壁施工構造６の縦断面図である。また、図１５は、下側の外壁板４の上辺部４１に留め付けユニット１を係止させた状態を表す上面図であり、図２０は、図１５のＡ−Ａ線矢視断面相当を表した留め付けユニット１のの排水機能の説明図である。
【００２８】
また、図２０における二点鎖線は各外壁板４の前方部分（意匠面）の輪郭を表す。そして、符号ａ2〜ｄ2を付した二点鎖線で輪郭を示した外壁板４の前方部分は、それぞれ符号ａ1〜ｄ1を付した実線で輪郭を示した外壁板４の後方部分と一体的になっている。また、符号４ａ、４ｂ、４ｃ、４ｄは、基準となる留め付けユニット１の、それぞれ左下、右下、左上、右上に配置される外壁板４を表す。即ち、外壁板４ａ〜４ｄは、それぞれ、後方部分の輪郭ａ1〜ｄ1と前方部分の輪郭ａ2〜ｄ2とを有する外壁板である。
【００２９】
留め付けユニット１は、図２に示すごとく、建物の構造躯体２に固定した金属下地３に、複数の四方合決り接合方式の外壁板４を留め付けるためのものである。
該留め付けユニット１は、図１１に示すごとく、隣接配置される上下左右の４枚の上記外壁板４の接合中央部となる上下左右接合部６４に配されるよう構成されている。そして、該留め付けユニット１は、図３に示すごとく、留め付け金具５と下敷板１１と係合板１２と固定ネジ１３とを有する。
【００３０】
図６に示すごとく、上記留め付け金具５は、下側の上記外壁板４の上辺部４１及び上側の上記外壁板４の下辺部４２に係合する。上記下敷板１１は、上記留め付け金具５の背面側に重なるように配置され上記金属下地３に当接する。上記係合板１２は、上記下敷板１１の背面側に配置されて上記金属下地３に係合することにより上記留め付け金具５及び上記下敷板１１とを上記金属下地３に固定する。固定ネジ１３は、係合板１２に螺合して上記留め付け金具５と上記下敷板１１とを上記金属下地３に固定する。
【００３１】
図３、図４、図６に示すごとく、上記留め付け金具５は、基板部５１と、上方脚部５２及び下方脚部５３と、支承部５４と、上板係止部５５と、下板係止部５６とを有している。
上記基板部５１は、図６に示すごとく、上記外壁板４の裏側面４６に当接する。上記上方脚部５２及び下方脚部５３は、基板部５１の上端及び下端に形成され、それぞれ上記下敷板１１に当接する。上記支承部５４は、上記基板部５１から前方へ水平方向に立設されている。上記上板係止部５５は、該支承部５４から斜め上方へ屈曲してなり、上記下板係止部５６は、上記支承部５４から斜め下方へ屈曲してなる。
【００３２】
また、上記支承部５４よりも上方の基板部５１には、該基板部５１よりも後退した凹陥部５７が形成されていると共に、該凹陥部５７には上記固定ネジ１３を挿通する第１固定用開口部５８が設けてある。
また、上記下敷板１１には、上記固定ネジ１３を挿通するための第２固定用開口部１１８が形成されている。
【００３３】
図４に示すごとく、上記第１固定用開口部５８は、左右に長い形状を有している。そして、図１、図７、図８に示すごとく、上記留め付け金具５は、上記下敷板１１に対して左右にスライドさせつつ上記金属下地３に固定することができるよう構成されている。
【００３４】
また、図２に示すごとく、上記金属下地３は、上記構造躯体２にそれぞれ略水平方向に固定された複数の金属ランナー３１と、該複数の金属ランナー３１に略鉛直方向に固定された複数の金属胴縁３２とを有する。なお、金属ランナー３１を使用せずに、金属胴縁３２を構造躯体２（柱）に直接固定することもできる。
【００３５】
該金属胴縁３２は、ステンレス鋼を約１．２ｍｍの厚みに押出成形することにより、断面略Ｃ字形状の長尺体として形成されている（図２、図１３）。該金属胴縁３２は、鉄あるいはアルミ材を用いてもよく、その形成方法は、押出成形以外にも曲げ加工を用いることもできる。
なお、上記金属ランナー３１も、上記金属胴縁３２と同様の形状を有している。
【００３６】
該金属ランナー３１及び上記金属胴縁３２は、図１３に示すごとく、それぞれ、平板状の背板３１１、３２１と、該背板３１１、３２１の幅方向の端部から前方へ立設した一対の立設板３１１、３２１と、各立設板３１２、３２２の前端から互いに向き合う方向に屈曲された一対の前板３１３、３２３とを有する。
【００３７】
また、図１１、図１２に示すごとく、上記外壁板４は、上辺部４１に設けた上部下実４１０と、下辺部４２に設けた下部上実４２０と、右辺部４３に設けた横下実４３０と、左辺部４４に設けた横上実４４０とを有する、いわゆる四方合決り構造の外壁板である。そして、下側の外壁板４の上部下実４１０に上側の外壁板４の下部上実４２０を重ね、左側の外壁板４の横下実４３０に右側の外壁板４の横上実４４０を重ねて、四方合決り接合することにより、外壁施工構造６が構成されている。
【００３８】
また、図１１、図１２、図２０に示すごとく、上記外壁板４の上部下実４１０及び横下実４３０の前面には、コーキング材４９が打設してある。そして、該コーキング材４９の上から他の外壁板４の下部上実４２０或いは横上実４４０が重なり、上記コーキング材４９を押圧することにより、隣合う外壁板４の間の接合隙間部６７、６７０からの雨水の浸入を防いでいる。
【００３９】
また、上記留め付け金具５は、上記支承部５４よりも下方において、垂直方向に前方に立設された垂直立設部５９（図３参照）を有する。
上記留め付け金具５及び上記下敷板１１は、図４、図５にそれぞれ示すごとく、上記係合板１２（図３参照）が回転している様子を上記留め付けユニット１の前方から視認するための第１視認用開口部５１１及び第２視認用開口部１１１をそれぞれ有する。
【００４０】
上記第１視認用開口部５１１は、上記留め付け金具５の上方脚部５２に形成されており、上記第２視認用開口部１１１は、上記下敷板１１における上記第２固定用開口部１１８の上方に形成されている。そして、図１、図７、図８に示すごとく、上記第１視認用開口部５１１と第２視認用開口部１１１とが、その一部又は全部において互いに重なり合うようにして、留め付け金具５と下敷板１１とが組み合わされている。
【００４１】
また、図１２、図１４、図１５に示すごとく、上記留め付け金具５は、上記支承部５４と略同一高さ位置の略中央部分において上記基板部５１から前方へ立設された中央水平板部５０１と、該中央水平板部５０１の前端において鉛直方向に形成された中央前板部５０２とを有する。また、図３、図６、図１２に示すごとく、上記上板係止部５５の先端と上記下板係止部５６の先端とは鉛直方向に形成された連設板５５６によって連結されている。
【００４２】
該連設板５５６は、図１５に示すごとく、上記中央前板部５０２よりも前方に配置している。そして、図１、図１２、図１４、図１５に示すごとく、上記中央水平板部５０１及び上記中央前板部５０２の左右端部には、漏水防止用の弾性部材５０３が上記中央水平板部５０１の上面から上記中央前板部５０２の前面にわたって連続して配設されている。
上記弾性部材５０３としては、例えば、ＥＰＤＭ等からなる独立気泡の発泡体を用いることができる。
また、図１６に示すごとく、上記下敷板１１は、背面に突出した背面リブ１１４を円弧状に形成してなり、該背面リブ１１４の外周面は、上記金属下地３を構成する金属胴縁３２の前面にその長さ方向に連続形成された前面開口部３２１の開口端３２２に当接する。
【００４３】
また、図３、図５〜図８に示すごとく、上記下敷板１１には、上記第２視認用開口部１１１の上方において前方へ突出した上方ガイド突起１１２が形成されている。また、上記下敷板１１は、上記第２固定用開口部１１８の下方に、前方へ隆起した前面リブ１１３を上記下敷板１１の全幅にわたって設けてなる。
上記上方ガイド部１１２は、上記留め付け金具５の上端部をガイドして、該留め付け金具５の左右のスライドを円滑に行うことができるようにしている。
【００４４】
また、上記係合板１２は、図６、図９に示すごとく、上記固定ネジ１３のネジ溝１３１に嵌合させる嵌合爪１２１を設けてなる。該嵌合爪１２１がネジ溝１３１に嵌合することにより、固定ネジ１３の緩みを防止して、外壁施工構造６の耐久性の向上を図っている。
【００４５】
本例の外壁施工構造６は、図６に示すごとく、上記留め付けユニット１によって、上記外壁板４を上記金属下地３に留め付けることにより構築されている。
即ち、上記留め付け金具５を、下側の上記外壁板４の上辺部４１及び上側の上記外壁板４の下辺部４２に係合させ、上記下敷板１１を上記金属下地３の前面に当接させている。そして、上記係合板１２を上記金属下地３に係合すると共に、該係合板１２に上記固定ネジ１３を螺合して上記留め付け金具５と上記下敷板１１とを上記金属下地３に固定している。これによって、上記外壁板４を上記金属下地３に留め付けている。
【００４６】
また、図６、図１５、図１９に示すごとく、上記留め付けユニット１は、上記係合板１２を上記金属胴縁３２における一対の前板３２３に係合することにより、上記金属胴縁３２に固定されている。
また、図２に示すごとく、上記外壁板４は、上下左右接合部６４以外においては、例えば従来よりある留め付け金具６１（特開２００３−２１３８８５号公報参照）によって留め付けることができる。また、最下段の外壁板４の下辺部４２は、例えば同じく従来よりあるスタータ金具６３によって支承されている。
【００４７】
上記留め付けユニット１を用いて外壁板４を金属下地３に留め付けるに当っては、下側に配された２枚の外壁板４の間の接合隙間部６７に上記垂直立設部５９を挿入しつつ、上記下板係止部５６を、上記外壁板４の上辺部４１における上部下実４１０に係止させる（図６、図１２参照）。このとき、上記垂直立設部５９を上記接合隙間部６７に挿入して、図１５に示すごとく、上記垂直立設部５９を、左側の外壁板４の右の側端面４３１に当接させる。
【００４８】
次いで、上記留め付けユニット１を上記金属胴縁３２に固定する。このとき、図１７に示すごとく、上記係合板１２を上記金属胴縁３２における一対の前板３２３の間から挿入する。次いで、図１８、図１９に示すごとく、上記固定ネジ１３を締める方向に回転させることにより上記係合板１２を回動させると共に前進させ、上記前板３２３の背面に係合させる。
上記係合板１２を回動させる際には、上記留め付け金具５及び下敷板１１にそれぞれ形成された第１視認用開口部５１１及び第２視認用開口部５２１から、上記固定ネジ１３の回転に伴って係合板１２が確実に回動しているかを、施工者が視認することができる。
【００４９】
また、上記スタータ金具６３、及び上下左右接合部６４以外の上記留め付け金具６１も、同様の係合板によって金属胴縁３２に固定されている。
そして、上方の外壁板４を配置する際には、図６に示すごとく、該外壁板４の下辺部４２を、上記留め付けユニット１における留め付け金具５の支承部５４に支承させると共に上板係止部５５に係止させる。具体的には、上記下辺部４２における下部上実４２０の後方に設けた下辺係合部４２１を、支承部５４に支承させると共に上板係止部５５に係止させる。
【００５０】
このとき、図６、図１２、図１５に示すごとく、上記留め付け金具５に設けられた弾性部材５０３を、上記下辺係合部４２１及び上記下部上実４２０の裏側面４２２に密着させる。また、上記留め付け金具５の連設板５５６に、上記外壁板４の下部上実４２０の裏側面４２２を当接させる。
【００５１】
次に、本例の作用効果につき説明する。
上記留め付けユニット１は、上記のごとく四方合決り接合方式の４枚の外壁板４の上下左右接合部６４に配され、該外壁板４を金属下地３に留め付けることができる。そのため、上記留め付けユニット１を用いることにより、容易に四方合決りの外壁施工構造６を得ることができる。そして、この四方合決りの外壁施工構造６は、外壁板４の間の目地部が目立たないため、外観意匠性に優れている。
また、四方合決り構造とすることにより、目地部のシーリング処理を特に行う必要がないため、施工が容易となり、施工コストを大幅に低減することもできる。
【００５２】
また、上記留め付けユニット１は、上記第１固定用開口部５８を左右に長い形状に形成してなる。それ故、図７、図８に示すごとく、上記留め付け金具５を上記下敷板１１に対して左右にスライドさせることができる。即ち、上記留め付けユニット１における上記下敷板１１が、上記金属下地３に対して左右方向については決められた位置にしか固定できなくても、上記留め付け金具５は、上記金属下地３に対して左右方向の位置調整をして適切な位置に固定することができる。
【００５３】
また、上記留め付け金具５は上記垂直立設部５９を有し、図１５に示すごとく、上記留め付けユニット１の左下の外壁板４は、その側端面４３１を上記垂直立設部５９に当接させている。これにより、上記外壁板４の左右方向の位置を正確に合わせることができ、施工性が大きく改善される。しかも施工後の外壁板４の左右のずれを防ぐことができるため、長期にわたる外壁施工構造６の安定化を図ることができる。
【００５４】
また、上記留め付け金具５及び上記下敷板１１は、上記第１視認用開口部５１１及び第２視認用開口部１１１をそれぞれ有するため、図１０に示すごとく、これらを通して係合板１２の回動を視認することができる。それ故、上記留め付けユニット１を金属下地３にネジ止め固定する作業を、容易かつ確実に行うことができる。
【００５５】
また、上記留め付け金具５は、上記中央水平板部５０１と上記中央前板部５０２とを有し、また、上記連設板５５６を上記中央前板部５０１よりも前方に配置しており、上記中央水平板部５０１及び上記中央前板部５０２の左右端部には、漏水防止用の弾性部材５０３が配設されている。
【００５６】
そのため、図２０に示すごとく、上記留め付けユニット１の上側の２枚の外壁板４の間の接合隙間部６７を伝って落下する雨水７を、外壁板４の前方へ排出することができる。
即ち、上記留め付け金具５は、上記中央水平板部５０１の左右端部の上面に上記弾性部材５０３を配設している。そのため、上記留め付け金具５の上方に配置する外壁板４の下辺部４２（下部上実４２０の裏側面４２２及び下辺係合部４２１）は、上記弾性部材５０３に密着する。
これにより、上記留め付け金具５の中央水平板部５０１に落下し、左右方向へ移動しようとする雨水７は、上記弾性部材５０３により堰き止められる。
【００５７】
更に、図１５に示すごとく、上記連設板５５６は、上記中央前板部５０２よりも前方に配置されている。そして、図６に示すごとく、上記連設板５５６に上側の外壁板４の下部上実４２０の裏側面４２２が当接する。そのため、図１４、図１５に示すごとく、上記外壁板４の下部上実４２の裏側面４２２と、上記中央前板部５０２との間に前方間隙１４が形成される。
これにより、上記中央水平板部５０１と、その左右端部の弾性部材５０３と、上記外壁板４の下辺部４２との間に形成される空間は、上記前方間隙１４と共に、外壁施工構造６の前方へ通じる通水路１４０を構成する。
【００５８】
そのため、図２０に示すごとく、上記留め付け金具５の中央水平板部５０１に落下し、上記弾性部材５０３により堰き止められた雨水７は、上記通水路１４０を通り壁面前方へ積極的に排出される。それ故、雨水７が外壁施工構造６の内部にまで浸入することがない。
【００５９】
即ち、図２０に示すごとく、左右の外壁板４の間の接合隙間部６７に浸入した雨水７は、上記コーキング材４９によって横方向への移動が阻止され、上記接合隙間部６７を伝って下方へ落下する。そして、雨水７は留め付け金具５の中央前板部５０２の前面を通過し、更に下方に続く接合隙間部６７へ移動し落下する。
また、上記接合隙間部６７を伝って下方へ落下してきた上記雨水７が、上記留め付け金具５の中央水平板部５４の上面にも落下することがある。そして、この雨水７は、上記中央水平板部５４上において左右へ向かって移動しようとする。
【００６０】
しかし、上記中央水平板部５４の左右端部に上記弾性部材５０３が配設されていることにより、上記雨水７は堰き止められる。
従って、上記雨水７は、上記左右の弾性部材５０３の間に形成された上記通水路１４０を伝って、上記中央前板部５０２を乗り越えるしかなくなる。これにより、雨水７は、上下の外壁板２の接合隙間部６７０から壁面前方へ排出されることになる。
【００６１】
このように、上記留め付け金具５を用いることにより、上記雨水７が外壁施工構造５の内部に浸入することを確実に防ぐことができ、上記外壁板２や構造躯体３の腐食や劣化を確実に防止することができる。
また、上記弾性部材５０３は、独立気泡のゴム発泡体からなるため、該弾性部材５０３自体が雨水を吸収することもなく、一層確実に雨水７の浸入を防ぐことができる。
【００６２】
また、図５、図１６に示すごとく、上記下敷板１１は、背面リブ１１４を形成してなり、該背面リブ１１４の外周面は、上記金属胴縁３２の前面開口部３２１の開口端３２２に当接する。これにより、上記留め付けユニット１を、上記金属胴縁３２に対して正確な位置に固定することができる。また、上記背面リブ１１４が円弧状に形成してあるため、上記留め付けユニット１を上記金属胴縁３２に対して回動自在な状態で固定作業を行うことができる。
【００６３】
以上のごとく、本例によれば、施工容易かつ外観意匠性に優れた外壁施工構造を得ることができる留め付けユニット及び外壁施工構造を提供することができる。
【００６４】
（実施例２）
本例は、図２１、図２２に示すごとく、本発明の留め付けユニット１を、リフォーム用の外壁施工構造６０に用いた例である。
この場合、金属下地３は、既存壁６２を介して構造躯体２に固定される。上記既存壁６２は、例えばモルタル壁やＲＣ、ＡＬＣ、ブロック、レンガ壁等種々の材質のものとすることができる。
その他は、実施例１と同様である。なお、金属ランナー３１は使用しなくてもよい。
【００６５】
本例のように、既存壁６２の上から新たな外壁板４を配設してリフォームする際には、上記金属下地３を用いた工法は、施工性の点でもより有効である。即ち、新たな外壁板４の下地材として、強度に優れた上記金属下地３を用いることにより、その固定箇所を少なくすることができ、施工性を大幅に向上させることができる。
その他は、実施例１と同様の作用効果を有する。
【図面の簡単な説明】
【００６６】
【図１】実施例１における、留め付けユニットの正面図。
【図２】実施例１における、外壁施工構造の正面図。
【図３】実施例１における、留め付けユニットの側面図。
【図４】実施例１における、留め付け金具の正面図。
【図５】実施例１における、下敷板の正面図。
【図６】実施例１における、留め付け金具の支承部を通る切断面で切った外壁施工構造の縦断面図。
【図７】実施例１における、留め付け金具を右方にスライドさせた状態の留め付けユニットの正面図。
【図８】実施例１における、留め付け金具を左方にスライドさせた状態の留め付けユニットの正面図。
【図９】実施例１における、留め付けユニットの背面図。
【図１０】実施例１における、第１視認用開口部及び第２視認用開口部から係合板を確認できることを示す留め付けユニットの正面図。
【図１１】実施例１における、外壁施工構造の正面図。
【図１２】実施例１における、外壁施工構造の斜視図。
【図１３】実施例１における、金属ランナー又は金属胴縁の斜視図。
【図１４】実施例１における、留め付け金具の中央水平板部を通る切断面で切った外壁施工構造の縦断面図。
【図１５】実施例１における、下側の外壁板の上辺部に留め付けユニットを係止させた状態を表す上面図。
【図１６】実施例１における、留め付けユニットを金属下地に配置した状態を金属胴縁の前板の後方から見た説明図。
【図１７】実施例１における、金属胴縁への留め付け金具の固定方法の説明図。
【図１８】図１７に続く、留め付け金具の固定方法の説明図。
【図１９】図１８に続く、留め付け金具の固定方法の説明図。
【図２０】図１１のＡ−Ａ線矢視断面相当における、雨水を排出する構造の説明図。
【図２１】実施例２における、外壁施工構造の正面図。
【図２２】実施例２における、外壁施工構造の縦断面図。
【符号の説明】
【００６７】
１  留め付けユニット
１１  下敷板
１１１  第２固定用開口部
１２  係合板
１３  固定ネジ
２  構造躯体
３  金属下地
４  外壁板
５  留め付け金具
５１  基板部
５２  上方脚部
５３  下方脚部
５４  支承部
５５  上板係止部
５６  下板係止部
５７  凹陥部
５８  第１固定用開口部
６  外壁施工構造
【図１】
2005127010.tif 000003
【図２】
2005127010.tif 000004
【図３】
2005127010.tif 000005
【図４】
2005127010.tif 000006
【図５】
2005127010.tif 000007
【図６】
2005127010.tif 000008
【図７】
2005127010.tif 000009
【図８】
2005127010.tif 000010
【図９】
2005127010.tif 000011
【図１０】
2005127010.tif 000012
【図１１】
2005127010.tif 000013
【図１２】
2005127010.tif 000014
【図１３】
2005127010.tif 000015
【図１４】
2005127010.tif 000016
【図１５】
2005127010.tif 000017
【図１６】
2005127010.tif 000018
【図１７】
2005127010.tif 000019
【図１８】
2005127010.tif 000020
【図１９】
2005127010.tif 000021
【図２０】
2005127010.tif 000022
【図２１】
2005127010.tif 000023
【図２２】
2005127010.tif 000024